(57)【要約】【課題】フライヤーにおける油高温部２ａの対流を妨げることなく、また、油低温部２ｂまで加熱してしまう過剰な対流や下方への熱反射を抑制することによって理想的な熱効率の良いフライヤーを提供することを課題とする。【解決手段】油を貯留する貯槽１と、貯槽内の油層２の中間位置に設けたヒーター４とを備えたフライヤーであって、上記ヒーター４の上面を覆い、ヒーター４で加熱された油が通過する多数個の小孔６を設けた多孔板５ａと、この多孔板５ａの両側縁部から上記ヒーター４の下方に向けて傾斜して差出されるとともに、鏡面状に形成されて上記ヒーター４からの輻射熱をほぼヒーター４方向に向けて反射する反射面５ｃを上面側に有する反射板とからなるヒーター被覆体５を設ける。【選択図】図１
2010000294.tif 000002
【特許請求の範囲】
【請求項１】
油を貯留する貯槽と、
貯槽内の油層の中間位置に設けたヒーターとを備えたフライヤーであって、
上記ヒーターの上面を覆い、ヒーターで加熱された油が通過する多数個の小孔を設けた多孔板と、
この多孔板の両側縁部から上記ヒーターの下方に向けて傾斜して差出されるとともに、鏡面状に形成されて上記ヒーターからの輻射熱をほぼヒーター方向に向けて反射する反射面を上面側に有する反射板とからなるヒーター被覆体を設けたことを特徴とするフライヤー。
【請求項２】
上記多孔板の下面と上記ヒーターとの間に間隙を有することを特徴とする請求項１に記載のフライヤー。
【請求項３】
上記多孔板の下面と、上記反射面を除く上記反射板の内外両面との全部または一部に熱吸収率の高い材料のコーティングを施したことを特徴とする請求項１または２に記載のフライヤー。
【請求項４】
上記多孔板の下面と、上記反射面を除く上記反射板の内外両面との全部または一部に油劣化防止作用のある触媒のコーティングを施したことを特徴とする請求項１乃至３のいずれかに記載のフライヤー。
【請求項５】
貯槽内の油層の下方に水層を設けたことを特徴とする請求項１乃至４のいずれかに記載のフライヤー。
【発明の詳細な説明】
【技術分野】
【０００１】
本発明は、加熱した油を溜めた貯槽内で食材を揚げて天ぷらやフライにするフライヤーであって、特に、熱効率を向上させるとともに、油の劣化を低減させるようにしたフライヤーに関する。
【背景技術】
【０００２】
貯槽内の油を加熱して食材を揚げるフライヤーでは、油が高温になり、食材から流出する水分や空気に触れることで、酸化、加水分解、重合などの化学変化を起こして劣化し、使用に適さないものとなる。そのため、このような油の劣化を防止して油の寿命を長期化する工夫がなされていた。
【０００３】
特許文献１には、貯槽内の油層中間部にヒーターを設けたフライヤーにおいて、底部にファンを配置して油に乱流を起こし、熱交換効率を向上させるとともに揚げカスなどのゴミを油面に浮かせるものが記載されている。
【０００４】
また、貯槽内に油層と水層とを上下２層にして有し、油層と水層とが境界で接しており、揚げカスなどを水層に分離して、油層の清浄度を保つことのできるようにしている油水二層型のフライヤーがあった（特許文献２、３）。
【０００５】
特許文献３には、油と水を上下２層にして１つの貯槽に貯留した油水二層型のフライヤーにおいて、水層及び油層を渦状に水平旋回させることにより、熱交換効率を高めるとともに、境界部で油が水にもまれて不純物を水中に落とすことで調理油の劣化を低減させることができるものが記載されている。
【０００６】
【特許文献１】特開平０７−２１３４３７号公報
【特許文献２】特開平０７−３０８２６０号公報
【特許文献３】国際公開公報２００７／１１６８８２号パンフレット
【０００７】
油層の中間部にヒーターを設けたフライヤーでは、加熱時にヒーター下部付近を境界として上方に油高温部が形成され、下方に油低温部が形成される。熱効率や油の劣化防止のためには、油高温部内では対流があり、油低温部では油高温部との間で対流が起こらず低温に保たれるのが望ましい。しかし、従来のフライヤーでは、油を加熱して食材を投入すると、食材から出る水分の沸騰などにより油高温部が沸き立って対流を起こし、高温の油が外側の貯槽内壁にぶつかって激しく下降する。この勢いによって油層下部にある油低温部の油が押し上げられ、油低温部と油高温部が攪拌、混和することがあった。
【０００８】
油低温部と油高温部が混和すると、揚げ物調理に用いないにも関わらず油層下部でも加熱による油の劣化が進み油の無駄が発生するばかりでなく、ヒーターから生じる熱の多くが揚げ物調理に使われることなく浪費される。また、油水二層型のフライヤーにおいては、油層下部が高温になると、下面に接している水層上部の温度も高くなり、境界面で水の沸騰や油の加水分解が生じるおそれがあった。
【０００９】
特許文献２のように、水層が加熱されるのを防ぐために、油層下部に冷却管を配設したり貯槽側壁に冷却用の凹み部を設けて、油低温部および水層を冷却したフライヤーもあるが、製造コストがかかり、また、この冷却管および凹み部が邪魔で貯槽底部付近の清掃が困難になっていた。さらに、ヒーターの熱の浪費という問題を充分には解決できていなかった。
【発明の開示】
【発明が解決しようとする課題】
【００１０】
本発明は上記問題点を解決するためになされたものであり、フライヤーにおける油高温部の対流を妨げることなく、また、油低温部まで加熱してしまう過剰な対流や下方への熱反射を抑制することによって理想的な熱効率の良いフライヤーを提供することを課題とする。
【課題を解決するための手段】
【００１１】
本発明において、上記課題が解決される手段は以下の通りである。
第１の発明は、油を貯留する貯槽と、貯槽内の油層の中間位置に設けたヒーターとを備えたフライヤーであって、上記ヒーターの上面を覆い、ヒーターで加熱された油が通過する多数個の小孔を設けた多孔板と、この多孔板の両側縁部から上記ヒーターの下方に向けて傾斜して差出されるとともに、鏡面状に形成されて上記ヒーターからの輻射熱をほぼヒーター方向に向けて反射する反射面を上面側に有する反射板とからなるヒーター被覆体を設けたことを特徴とする。
この反射板は、上面側の全体を鏡面状の反射面にしたものでもよいが、一部に鏡面状でない部分を含むものであってもよい。
【００１２】
第２の発明は、第１の発明において、上記多孔板の下面と上記ヒーターとの間に間隙を有することを特徴とする。
【００１３】
第３の発明は、第１または第２の発明において、上記多孔板の下面と、上記反射面を除く上記反射板の内外両面との全部または一部に熱吸収率の高い材料のコーティングを施したことを特徴とする。
【００１４】
第４の発明は、第１乃至第３のいずれかの発明において、上記多孔板の下面と、上記反射面を除く上記反射板の内外両面との全部または一部に油劣化防止作用のある触媒のコーティングを施したことを特徴とする。
【００１５】
第５の発明は、第１乃至第４のいずれかの発明において、貯槽内の油層の下方に水層を設けたことを特徴とする。
【発明の効果】
【００１６】
第１の発明によれば、上記ヒーターの上面を覆い、ヒーターで加熱された油が通過する多数個の小孔を設けた多孔板を配設したことにより、投入される食材がヒーターに触れるのを防止することができるとともに、多孔板を上下に行き来する油の流れが小孔で細分化されて、油高温部で良好な対流が行われる。また、食材が投入されて油面付近の油が沸き立っても、油は多孔板の小孔を通過する細分化された流れになって下降するから、貯槽内壁に沿って過大な勢いで下降し油低温部の油を攪拌することがなく、油低温部が低温に保たれる。
【００１７】
また、多孔板の両側縁部から上記ヒーターの下方に向けて傾斜して差出されるとともに、鏡面状に形成されて上記ヒーターからの輻射熱をほぼヒーター方向に向けて反射する反射面を上面側に有する反射板により、ヒーターからの輻射熱を上方へ反射して油高温部の加熱を促進するとともに、油低温部が加熱されることを防止することができる。また、反射板同士の間隔が下になるほど狭くなっているから、ヒーター被覆体内側の油が下方へ流れづらく、油低温部を一層低温に保つことができる。
さらに、ヒーター被覆体が油高温部の相当範囲を覆っているから、調理の一時中断の際にも、油高温部の温度が油低温部との対流により低下しないように遮蔽して、保温性能を向上させることができる。
また、調理により発生した揚げカスは多孔板の小孔を通過し、反射板の傾斜にそって底部に落下するから、揚げカスの沈下を妨げることなく上記効果を達成することができる。
【００１８】
第２の発明によれば、上記多孔板の下面と上記ヒーターとの間に間隙を有することにより、ヒーターに加熱された油が上記間隙に滞留して、小孔を通して多孔板上方との間で行き来しやすくなる。このため、食材を投入しても、側壁にぶつかって下降する大きな油の流れを生じることがなく、油低温部に高温の油が流れ入ることなく低温に保たれる。
【００１９】
第３の発明によれば、上記多孔板の下面と、上記反射面を除く上記反射板の内外両面との全部または一部に熱吸収率の高い材料のコーティングを施したことにより、コーティングされた面が輻射熱をよく吸収して、周囲の油高温部の油を加熱することができるとともに、下方への熱反射を防いで油低温部を加熱されにくくすることができる。
【００２０】
第４の発明によれば、上記多孔板の下面と、上記反射面を除く上記反射板の内外両面との全部または一部に油劣化防止作用のある触媒のコーティングを施したことにより、触媒の塗付された面に触れた油の分子の熱重合を防止し、揚げ物調理に伴う油の劣化を抑えることができる。
【００２１】
第５の発明によれば、貯槽内の油層の下方に水層を設けたことにより、揚げ物調理において生じる揚げカス、熱分解や加水分解などによって生じる水溶性の極性化合物を水層に転移させて分離することができ、油の劣化を一層防止することができる。
また、ヒーター被覆体により油低温部が低温に保たれるから、油低温部およびその下面に接している水層の温度が上昇して油と水の境界面で水の沸騰および油の加水分解が生じるのを防止することができる。
【発明を実施するための最良の形態】
【００２２】
本発明に係るフライヤーの実施形態を、図面に沿って説明する。
第１実施形態に係るフライヤーは、図１、２に示すように、油を溜めて食材を揚げる貯槽１を有し、貯槽１の中間位置には油を加熱するヒーター４を有している。貯槽１の上部は四角筒状に、下部は下方に凸な四角錐状に形成され、貯槽１の底部には油や揚げカスなどを排出するための排出口を備えている。
この貯槽１に油を注いで油層２を形成し、ヒーター４に通電して加熱すると、油層２のヒーター４上方には油高温部２ａが形成され、油層下部には油低温部２ｂが形成される。
油高温部２ａでは、金網等で成形されたバスケットに載せた食材が投入され、所定温度にて揚げられる。油低温部２ｂは、油高温部２ａで発生した揚げカスなどを受け取るとともに油高温部２ａに清浄な油を適宜供給して、油高温部２ａの油の劣化を防止する役割を果たす。
【００２３】
このフライヤーには、ヒーター４の周囲を取り囲むように着脱可能なステンレス製のヒーター被覆体５が取り付けられている。ヒーター被覆体５は、図１、４に示すように、貯槽１の上部の開口よりも一回り小さく水平に設置された多孔板５ａと、多孔板５ａの両側縁部から下方に延びた反射板とからなる。さらに、この反射板は、接続部５ｂと、接続部５ｂの下端部から貯槽１の下方内側へ傾斜して延びる反射部５ｃとからなる。
ヒーター被覆体５の側縁部と貯槽内壁との間には、わずかに隙間が設けられている。
【００２４】
多孔板５ａは、貯槽１の開口よりも一回り小さな四角形に形成され、多数の小孔６を有している。この小孔６の直径はおよそ８ｍｍに設定され、小孔６どうしの間隔は２ｍｍ程度に設定されている。図４では省略してあるが、小孔６は多孔板５ａの全面に設けられている。
貯槽１内に設置したときに、多孔板５ａとヒーター４の上面との間にはスペーサー７を介在させて５〜１５ｍｍの間隙を設けておくのが望ましい。このように間隙を設けることにより、ヒーター４周辺で加熱された油がこの間隙部に滞留し、小孔６から多孔板５ａを通過しやすくなるため、食材を投入しても、貯槽内壁にぶつかって下降する大きな油の流れを生じることがなく、油低温部に高温の油が流れ入ることなく低温に保たれる。
【００２５】
反射板の接続部５ｂ、５ｂは多孔板５ａの両側縁部から垂下している。接続部５ｂ、５ｂは垂直に差出したものでもよいが、図４のようにやや内側に傾斜させておくと、ヒーター４を上下に回動させる際に貯槽１の内壁とぶつかったり擦れたりすることがない。
【００２６】
反射板の反射部５ｃ、５ｃは、接続部５ｂ、５ｂの下端から、ヒーター４下方（貯槽１の内側）に向かって次第に互いの間隔を狭めるように傾斜して差出され、下端部どうしの間には揚げカスなどが沈下する充分な隙間を設けてある。反射部５ｃとしては、上方のヒーター４の輻射熱を反射するように、上面が鏡面状のステンレス板を用いる。反射部５ｃ、５ｃの傾斜は水平面に対し４５度程度に設定されており、フライヤー正面からみて左右対称になっている。
【００２７】
ヒーター被覆体５のうち、多孔板５ａの下面と、反射部５ｃの下面と、接続部５ｂの内外両面には、熱吸収率の高い材料でコーティングを施してある。この材料としては、黒体に物理的性質が近いものを用いる（以下、黒体コーティングという）。
これにより、コーティングされた面が輻射熱をよく吸収して、周囲の油高温部２ａの油を加熱することができ、ヒーターから発生した熱の多くを揚げ物調理に用いることができる。
多孔板５ａの上面および反射部５ｃの上面では、輻射熱を上方へ反射して上方の油を加熱するのが望ましいので、黒体コーティングを施していない。
【００２８】
この黒体コーティングとともに、または黒体コーティングの代わりに、触媒を塗付して加熱硬化してもよい。触媒には銀を含むコーティング剤、二酸化珪素、酸化アルミニウム、酸化鉄、銀等を含むコーティング剤、あるいは銀塩またはコロイダル銀を固着したゼオライト、シリカゲル、アルミノ珪酸塩鉱物およびアルミノ−シリカゲルの群から選ばれた少なくとも１種の無機化合物を用いるコーティング剤などを用いて、触媒の塗付された面に接した油の分子の酸化重合・熱重合を防止し、揚げ物調理に伴う油の劣化や粘度上昇を抑えられるようにする。
【００２９】
多孔板５ａの下面には、スペーサー７が４個所に配置されている。このスペーサー７は幅方向中央部を下方に切り欠いて、ヒーター４の上端が嵌まる溝を設けている。
【００３０】
図３に示すように、ヒーター４は、フライヤー上部の筐体８に接続される基部４ａと、基部４ａから垂下した２本の足と、この足の先に設けられた加熱部４ｂとからなる。加熱部４ｂは、四角形の平面内にて繰り返し蛇行させた形状に形成されている。
ヒーター４は、筐体８側部から突き出たレバー８ａを上方へ操作すると、基部４ａが接続された筐体８を軸心として水平姿勢と直立姿勢の間を回動するように設置されている。ヒーター４を回動して直立させると、筐体８下部に取り付けられたストッパー８ｂが自重で筐体の下に回り、留め具で固定されてヒーター４を直立姿勢で支持固定できるようになっている（図５）。このストッパー８ｂを前方に回動させてヒーター４の固定を解除すると、ヒーター４を直立姿勢から水平姿勢に戻すことができる。
筐体８はこのようにヒーター４を回動させる機能を有するとともに、内部に配線を備え、接続されるヒーター４の加熱部４ｂに電力を供給する。
【００３１】
調理前に、フライヤーにヒーター被覆体５を取り付けるには、上記レバー８ａを操作してヒーター４を直立姿勢に回動させ（図５）、ヒーター４の先端側からヒーター被覆体５を挿し込んだ後で、ヒーター４を倒し再び水平姿勢にセットする（図２）。
逆に、調理後にヒーター被覆体５を取り外す際には、レバー８ａを操作してヒーター４を回動させて直立させ、ヒーター被覆体５を上方に抜き取る。
このように、ヒーター被覆体５はフライヤーから安全かつ容易に取り外すことができるから、貯槽１内およびヒーター被覆体５の清掃を容易に行うことができる。
【００３２】
ヒーター被覆体５を取り付けた状態でヒーター４に通電すると、ヒーター４の周囲の油が加熱されて、多孔板５ａ下面との間隙およびその下方のヒーター被覆体５の内側に滞留するとともに、一部が多孔板５ａの小孔６から上方に供給される。
【００３３】
これにより、高温の油は食材が揚げられる多孔板５ａ上方に適宜供給されて、投入した食材を充分に加熱する。一方、油低温部２ｂは油高温部２ａとの対流がヒーター被覆体５によって抑えられ、低温に保たれる。
また、反射部５ｃでヒーター４からの輻射熱を上方のヒーター４方向へ反射して油高温部２ａの加熱を促進するとともに、油低温部２ｂが加熱されるのを防止することができる。
【００３４】
さらに、多孔板５ａの下面、反射部５ｃの下面、および接続部５ｂの内外両面に、黒体コーティングを施したことにより、コーティングされた面が輻射熱をよく吸収して、周囲の油高温部２ａの油を加熱することができるとともに、下方への熱反射を防ぎ油低温部２ｂを加熱されにくくすることができる。
その結果、油高温部２ａのみを高温にして油低温部２ｂを低温に保つことができるので、油の劣化を抑えて油を節約することができるとともに、ヒーター４の熱を効率良く揚げ物調理に利用できるので、熱量の消費を低減させることができる。
【００３５】
油高温部２ａが充分に加熱された状態で食材を投入して揚げると、食材から出る水分の沸騰などにより油面付近の油は沸き立つが、その高温の油は、外側の貯槽内壁に沿って下降する大きな流れを作ることはなく、多孔板５ａの小孔６を通過して下降する細分化された流れとなる。
油の流れが細分化されることで流れの勢いが強くならず、油高温部２ａには充分な対流があるが、油低温部２ｂは対流の影響を受けない平穏な状態を保つことができて、低温に保たれる。また、反射部５ｃ同士の間隔が下になるほど狭くなっているから、ヒーター被覆体５内側の油が下方へ流れづらく、油低温部２ｂを一層低温に保つことができる。
【００３６】
また、食材を揚げる際に大量の揚げカスが発生するが、揚げカスは多孔板５ａの小孔６を通過して自然落下する。その際、反射部５ｃを傾斜させてあるので、反射部５ｃに達した揚げカスは反射部５ｃの表面を滑って貯槽１底部へ沈下することができる。
【００３７】
さらに、多孔板５ａの下面、反射部５ｃの下面、および接続部５ｂの内外両面に、油劣化防止作用のある触媒を塗付したことにより、触媒の塗付された面に触れた油の分子の酸化重合・熱重合を防止し、揚げ物調理に伴う油の劣化や粘度上昇を抑えることができる。
【００３８】
＜第２実施形態＞
第２実施形態として、図６に示すように、貯槽１内に水を入れ、水と油の比重差により、油層２の下方に水層３を形成した油水二層型フライヤーに上記ヒーター被覆体５を用いてもよい。
このフライヤーには、油層２の下面に接して水層３が設けられており、ヒーター４および上記ヒーター被覆体５は油層２の高さ中央に配置されている。このため、ヒーター４によって加熱を開始すると、貯槽中には下から順に水層３、油低温部２ｂ、油高温部２ａの３層が形成される。
その他の構成は第１実施形態と同様である。
【００３９】
この場合には、揚げ物調理において油層２で生じる揚げカスや、熱分解や加水分解によって生じる水溶性の極性化合物を水層３に転移させて分離することができ、油の劣化を一層防止することができる。
また、この油水二層型フライヤーにヒーター被覆体５を用いると、ヒーター被覆体５により油低温部２ｂが低温に保たれるから、油低温部２ｂおよび水層３の温度が上昇することにより油と水の境界面で水の沸騰および油の加水分解が生じるのを防止することができる。
【００４０】
＜別態様＞
触媒の種類は上記実施形態で示したものに限らず、たとえば、チタンまたはチタン合金をショットブラスト法により上記所定の面に吹き付けて、酸化チタンの被膜を形成してもよい。この場合には、酸化チタンの光触媒としての作用により、油の酸化を防止し、酸化した油を還元することができる。
【００４１】
また、上記実施形態では、多孔板５ａの両側縁部から接続部５ｂと反射部５ｃとからなる反射板を垂下したヒーター被覆体５を用いたが、多孔板５ａの両側縁部に加え、正面側（ヒーター４先端側）の縁部からも反射板を垂下したヒーター被覆体を用いてもよい。
また、接続部５ｂを設けることなく、上面側の全体が鏡面状の反射面に形成された反射板を、多孔板５ａの両側縁部からヒーター４下方へ差出すように構成したヒーター被覆体を用いてもよい。
【００４２】
＜実験結果＞
ヒーター被覆体５を設けた油水二層型フライヤーにおいて、スペーサー７を用いてヒーター４とヒーター被覆体５との間に１０ｍｍの間隙を設けた場合と、間隙を設けずヒーター被覆体５をヒーター４の上に直置きにした場合とで、油低温部２ｂの温度を比較する実験を行った。それぞれの場合で、ヒーター４に通電して油層２を加熱してから、６分間揚げ物調理を行い、その間油低温部２ｂの温度を計測した。
図７はその結果を示すグラフである。
【００４３】
どちらの場合も油高温部２ａが所定温度に達した時点で調理を開始したが、間隙を設けた場合では直置き（間隙なし）の場合に比べて、油高温部２ａの温度が所定温度まで加熱されても、油低温部２ｂの温度が若干低いことがわかる（直置きでは８４．４℃、間隙１０ｍｍでは８２．９℃）。
また、食材を投入して調理を開始すると、直置きの場合では油低温部２ｂの温度が調理前から８．４℃上昇した。一方、間隙を設けた場合では、食材を投入しても油低温部２ｂの温度は４．８℃しか上昇しなかった。油低温部２ｂの最高温度は、直置きの場合で９２．８℃、間隙を設けた場合で８７．７℃であった。
【００４４】
ヒーター被覆体５を設けない場合には調理に伴い油低温部２ｂの温度が１００℃以上になることもあるため、間隙なしでヒーター被覆体５を設けた場合でも油低温部２ｂが加熱されるのを防ぐ効果が認められる。ヒーター被覆体５下面とヒーター４との間に間隙を設けた場合には、さらに顕著に油低温部２ｂを低温に維持することができる。
【図面の簡単な説明】
【００４５】
【図１】本発明の第１実施形態に係るフライヤーの正面断面図である。
【図２】同フライヤーの側面断面図である。
【図３】同フライヤーに用いるヒーターおよび筐体を示す斜視図である。
【図４】同フライヤーに用いるヒーター被覆体を示す斜視図である。
【図５】同フライヤーにおけるヒーターの直立姿勢時の側面断面図である。
【図６】本発明の第２実施形態に係るフライヤーの正面断面図である。
【図７】ヒーター被覆体とヒーターとの間に間隙を設けた場合と設けない場合における、油低温部の温度の比較を示すグラフである。
【符号の説明】
【００４６】
１  貯槽
２  油層
２ａ  油高温部
２ｂ  油低温部
３  水層
４  ヒーター
４ａ  基部
４ｂ  加熱部
５  ヒーター被覆体
５ａ  多孔板
５ｂ  （反射板の）接続部
５ｃ  （反射板の）反射部
６  小孔
７  スペーサー
８  筐体
８ａ  レバー
８ｂ  ストッパー
【図１】
2010000294.tif 000003
【図２】
2010000294.tif 000004
【図３】
2010000294.tif 000005
【図４】
2010000294.tif 000006
【図５】
2010000294.tif 000007
【図６】
2010000294.tif 000008
【図７】
2010000294.tif 000009